(57)【要約】【課題】本発明は、２種類の液体を収容できるブロー成形容器において、少ない製造工程で製造ができ、且つ容器形態が使用環境によって変化させることができる（例えば、流通時や販売時にはコンパクトに畳まれており、使用時には設置スペースやデザイン性、機能性を付与するような置き方ができるように広げて使用することができる）２液用容器を提供することを目的とする。【解決手段】２種類の液体を収容できるブロー成形容器であって、各室（１）がヒンジ部（２）を介して一体的に成形されている。また、前記ヒンジ部（２）が上下に分離されている。さらに、前記ヒンジ部（２）が蛇腹状になっていることを特徴とする２液用容器である。【選択図】図1
2008114878.tif 000002
【特許請求の範囲】
【請求項１】
２種類の液体を収容できるブロー成形容器であって、各室がヒンジ部を介して一体的に成形されていることを特徴とする２液用容器。
【請求項２】
前記ヒンジ部が上下に分離されていることを特徴とする請求項１記載の２液用容器。
【請求項３】
前記ヒンジ部が蛇腹状になっていることを特徴とする請求項１又は２記載の２液用容器。
【請求項４】
前記ヒンジ部を折り曲げ、２つの室同士を密着させた状態で固定できる機構を備えたことを特徴とする請求項１乃至３のいずれか１項記載の２液用容器。
【発明の詳細な説明】
【技術分野】
【０００１】
本発明は、２液用容器に関するものであり、さらに詳しくは、異なる液体が収容される２つの室からなり、それぞれの室が一体的に連結されている２液用容器に関する。
【背景技術】
【０００２】
従来から、２液タイプのパーマ液、消臭剤と脱臭剤など、異なる液体がセットで使用される容器については、２つの室からなり、それぞれの室が一体的に連結されている２液用容器が提案されている。
【０００３】
例えば、２つの液体を収容する容器を別々に製造し、それをまた別のパーツにより、一体化させた容器である（例えば、特許文献１参照。）。このような２液用容器の場合は、２つの容器を作る工程、それを一体化させるためのパーツを作る工程、さらにそれらを一体化させる工程が必要であり、工程が複雑でコスト高という問題点がある。
【０００４】
また、このような２液用容器の問題点を解決するため、１つのパリソンからその中央をつぶすことにより２室にした２液用容器の提案（例えば、特許文献２参照。）がある。しかし、この２液用容器の場合は、容器成形用の金型製作が複雑で高価になり、実用的でない問題点がある。
【０００５】
以下に先行技術文献を示す。
【特許文献１】実開平５−２９９８２号公報
【特許文献２】特開２００６−６９５８１号公報
【発明の開示】
【発明が解決しようとする課題】
【０００６】
本発明は、このような従来技術の問題点を解決しようとするものであり、少ない製造工程で製造ができ、且つ容器形態が使用環境によって変化させることができる（例えば、流通時や販売時にはコンパクトに畳まれており、使用時には設置スペースやデザイン性、機能性を付与するような置き方ができるように広げて使用することができる）２液用容器を提供することを目的とする。
【課題を解決するための手段】
【０００７】
本発明は、上記の課題を解決するために成されたものであり、本発明の請求項１に係る発明は、２種類の液体を収容できるブロー成形容器であって、各室（１）がヒンジ部（２）を介して一体的に成形されていることを特徴とする２液用容器である。
【０００８】
本発明の請求項２に係る発明は、請求項１記載の２液用容器において、前記ヒンジ部（２）が上下に分離されていることを特徴とする２液用容器である。
【０００９】
本発明の請求項３に係る発明は、請求項１又は２記載の２液用容器において、前記ヒンジ部（２）が蛇腹状になっていることを特徴とする２液用容器である。
【００１０】
本発明の請求項４に係る発明は、請求項１乃至３のいずれか１項記載の２液用容器において、前記ヒンジ部（２）を折り曲げ、２つの室（１）同士を密着させた状態で固定できる機構を備えたことを特徴とする２液用容器である。
【発明の効果】
【００１１】
本発明に係る２液用容器は、２種類の液体を収容できるブロー成形容器であって、各室がヒンジ部を介して一体的に成形されていることにより、少ない製造工程で製造ができるので、安価に容器を提供できる。且つ容器形態を使用環境によって変化させることができる。すなわち、流通時や販売時にはコンパクトに畳まれており、使用時には設置スペースやデザイン性、機能性を付与するような置き方ができるように広げて使用することができるものである。
【発明を実施するための最良の形態】
【００１２】
本発明に係る２液用容器の実施の形態を図１〜図８に基づいて詳細に説明するが、それに限定されるものではない。
【００１３】
図１は、本発明に係る２液用容器の１実施例を示す側断面図であり、図２は、本発明に係る２液用容器のその他の実施例を示す側断面図であり、図３は、本発明に係る２液用容器の底部から見た平面図であり、図４は、本発明に係る２液用容器のヒンジ部の１実施例を示す拡大図であり、図５は、本発明に係る２液用容器のヒンジ部のその他の実施例を示す拡大図であり、図６（ａ）は、本発明に係る２液用容器の流通・販売時における上部から見た１実施例を示す平面図であり、図６（ｂ）は、図６（ａ）の使用時の状態を示す平面図であり、図７（ａ）は、本発明に係る２液用容器の流通・販売時における上部から見たその他の実施例を示す平面図であり、図７（ｂ）は、図７（ａ）の使用時の状態を示す平面図であり、図８（ａ）は、本発明に係る２液用容器の流通・販売時における上部から見たまたその他の実施例を示す平面図であり、図８（ｂ）は、図８（ａ）の使用時の状態を示す平面図である。
【００１４】
本発明の１実施例の２液用容器（１０）は、図１に示すように、２種類の液体を収容できるブロー成形容器であって、各室（１）がヒンジ部（２）を介して一体的に成形されていることを特徴とする２液用容器である。
【００１５】
１つのサーキュラーダイより、押し出された溶融パリソンを２つのキャビティーを有し、且つその間がヒンジ部（２）を形成させる形状になっている金型で挟み、２つのブローピンを用いてブロー成形することにより、各室（１）がヒンジ部（２）を介して一体的に成形されている２液用容器（１０）を作製する。
【００１６】
このような製造方法により、従来に比べ、少ない製造工程で製造ができるので、安価に該容器を提供できる。また、金型もシンプルな形状であるので安く製作できる。
【００１７】
また、図２に示すように、前記ヒンジ部（２）を上下に分離することにより、該ヒンジ部（２）を折り曲げる力が小さくなり、また該容器（１０）自身の重量が小さくなるため、より好ましい。
【００１８】
さらに、前記ヒンジ部（２）を蛇腹状にすることにより、柔軟なヒンジ部（２）の折り曲げ、折り畳みが可能になり、結果的には、ヒンジ部（２）の開閉の繰り返しの耐久性も改善される。
【００１９】
また、このような容器（１０）にすることにより、図６（ａ）、図７（ａ）、図８（ａ）に示すように、流通・販売時には、ヒンジ部（２）を折り曲げることにより、容器（１０）全体をコンパクトにすることができ、流通の際の包装代、倉庫代及び運送代などの流通経費の低減を図ることができる。また、販売時点では、陳列スペースの削減などに寄与し、販売効率の向上が図れる。さらに、図６（ｂ）、図７（ｂ）、図８（ｂ）に示すように、使用時にはヒンジ部（２）を開くことにより、化粧台などのコーナー部分や狭幅のスペースに該容器（１０）を置くことができる。また置いた時の該容器（１０）の見栄えが
良くなるような効果を出すことができる。
【００２０】
前記図６（ａ）に示す容器（１０）は、流通・販売時には、ヒンジ部（２）を折り曲げ、畳むことにより、円筒形状の容器（１０）となり、全体をコンパクトにすることができる。同様にして、前記図７（ａ）及び前記図８（ａ）に示すように、直方体形状の容器（１０）となり、全体をコンパクトにすることができる。
【００２１】
また、前記図６（ｂ）、図７（ｂ）、図８（ｂ）に示すように、使用時にはヒンジ部（２）を開く度合いを調整することにより、前述のように、化粧台などのコーナー部分や狭幅のスペースに該容器（１０）を置くことができる。また置いた時の該容器（１０）の見栄えが良くなるような効果を出すことができる。
【００２２】
ところで、本発明の１実施例の２液用容器（１０）は、２液タイプのパーマ液、消臭剤と脱臭剤など、異なる液体がセットで使用される容器（１０）で、２つの室（１）からなり、それぞれの室（１）が一体的に連結されている形態であるが、その製造方法は、一般的なブロー成形法を用いて成形することができる。
【００２３】
１つのサーキュラーダイより、押し出された溶融パリソンを２つのキャビティーを有し、且つその間がヒンジ部（２）を形成させる形状になっている金型で挟み、２つのブローピンを用いてブロー成形することにより、図１に示すように、各室（１）がヒンジ部（２）を介して一体的に成形されている２液用容器（１０）を作製する。
【００２４】
前記ブロー成形による２液用容器（１０）などのプラスチック中空容器は、軽量性や耐衝撃性に優れており、２液タイプのパーマ液、消臭剤と脱臭剤などの他に、各種食品、調味料、トイレタリー製品等の包装容器として広く使用されている。
【００２５】
この容器として、単層及び多層の各種のものが使用されているが、容器の少なくとも内層樹脂としては、衛生的特性、耐湿性、強度等の見地から、ポリプロピレン等のポリオレフィン樹脂が広く使用されている。
【００２６】
ところで、本発明の２液用容器（１０）の場合は、内容物が２液タイプのパーマ液、消臭剤と脱臭剤等の比較的、特殊な内容物であり、水分バリア性、酸素バリア性等が主に求められる内容物であるので、該容器（１０）の材料構成は、合成樹脂の多層構造が好ましい。
【００２７】
該多層構造においては、内層側に特定の透湿係数を有する水分バリア層を配置させ、該内層よりも外層側に特定の酸素透過係数を有する酸素バリア層を配置させる。このような多層構造によって、内容物が２液タイプのパーマ液、消臭剤と脱臭剤等の比較的、特殊な内容物であっても長期保存が可能になる。
【００２８】
前記多層構造の内層側に配置される水分バリア層の構成材料としては、環状オレフィン系重合体、２軸延伸ポリプロピレン、無延伸ポリプロピレン、高密度ポリエチレン等が挙げられる。
【００２９】
酸素バリア層の構成材料としては、エチレン−ビニルアルコール共重合体、ポリアクリロニトリル等が挙げられる。
【００３０】
前記水分バリア層と酸素バリア層とは、直接隣接していても良く、あるいは所定の接着層を介して間接的に隣接していても良い。該接着層を構成する樹脂としては、マレイン酸や無水マレイン酸等のカルボン酸又はその無水グラフト重合物によって変性されたポリオ
レフィン系重合体等が挙げられる。
【００３１】
また、該容器（１０）における多層構造においては、内層側に配置された水分バリア層の内側に、最内層としての樹脂層を配置しても良い。さらに、これに加えて又はこれに代えて、酸素バリア層の外側に、最外層としての樹脂層を配置しても良い。
【００３２】
さらに、最内層と水分バリア層との間、及び／又は最外層と酸素バリア層との間には、必要に応じて接着層を介在させても良い。
【００３３】
また、前記樹脂層には、必要に応じて各種添加物、例えば、酸化防止剤、帯電防止剤、着色剤、抗菌剤、紫外線吸収剤等を含有させても良い。
【実施例】
【００３４】
以下に、本発明に係る２液用容器（１０）について、具体的に実施例を挙げて、さらに詳しく説明するが、それに限定されるものではない。
【００３５】
＜実施例１＞
１つのサーキュラーダイより、押し出された、（外層側）低密度ポリエチレン／接着層／ＥＶＯＨ／接着層／環状オレフィン系共重合体／接着層／低密度ポリエチレン（内層側）の材料構成からなる多層構造の溶融パリソンを２つのキャビティーを有し、且つその間がヒンジ部（２）を形成させる形状になっている金型で挟み、２つのブローピンを用いてブロー成形することにより、図１に示すように、各室（１）がヒンジ部（２）を介して一体的に成形された実施例１の２液用容器（１０）を作製した。このようにして得られた容器（１０）を用いて、ヒンジ部（２）を折り曲げたところ、容器（１０）全体をコンパクトにすることができた。次に、ヒンジ部（２）を開くことにより、狭幅のスペースに該容器（１０）を置くことができた。
【００３６】
＜実施例２＞
実施例１において、ヒンジ部（２）を上下に分離した形状にした以外は実施例１と同様にして実施例２の２液用容器（１０）を作製した。このようにして得られた容器（１０）を用いて、ヒンジ部（２）を折り曲げたところ、該ヒンジ部（２）を折り曲げる力が小さくなり、容易に容器（１０）全体をコンパクトにすることができた。次に、ヒンジ部（２）を開くことにより、狭幅のスペースに該容器（１０）を置くことができた。また該容器（１０）自身の重量が小さくなった。
【００３７】
＜実施例３＞
実施例１において、ヒンジ部（２）を上下に分離した形状にし、さらに該ヒンジ部（２）を蛇腹状にした以外は実施例１と同様にして実施例３の２液用容器（１０）を作製した。このようにして得られた容器（１０）を用いて、ヒンジ部（２）を折り曲げたところ、該ヒンジ部（２）を折り曲げる力が小さくなり、容易に容器（１０）全体をコンパクトにすることができた。さらに、該ヒンジ部（２）の開閉の繰り返しの耐久性も改善された。次に、ヒンジ部（２）を開くことにより、狭幅のスペースに該容器（１０）を置くことができた。また該容器（１０）自身の重量が小さくなった。
【図面の簡単な説明】
【００３８】
【図１】本発明に係る２液用容器の１実施例を示す側断面図である。
【図２】本発明に係る２液用容器のその他の実施例を示す側断面図である。
【図３】本発明に係る２液用容器の底部から見た平面図である。
【図４】本発明に係る２液用容器のヒンジ部の１実施例を示す拡大図である。
【図５】本発明に係る２液用容器のヒンジ部のその他の実施例を示す拡大図である。
【図６】（ａ）は、本発明に係る２液用容器の流通・販売時における上部から見た１実施例を示す平面図である。（ｂ）は、図６（ａ）の使用時の状態を示す平面図である。
【図７】（ａ）は、本発明に係る２液用容器の流通・販売時における上部から見たその他の実施例を示す平面図である。（ｂ）は、図７（ａ）の使用時の状態を示す平面図である。
【図８】（ａ）は、本発明に係る２液用容器の流通・販売時における上部から見たまたその他の実施例を示す平面図である。（ｂ）は、図８（ａ）の使用時の状態を示す平面図である。
【符号の説明】
【００３９】
１・・・室
２・・・ヒンジ部
１０・・・２液用容器
【図１】
2008114878.tif 000003
【図２】
2008114878.tif 000004
【図３】
2008114878.tif 000005
【図４】
2008114878.tif 000006
【図５】
2008114878.tif 000007
【図６】
2008114878.tif 000008
【図７】
2008114878.tif 000009
【図８】
2008114878.tif 000010